(57)【特許請求の範囲】
【請求項１】
天井部材と床部材との間に対向するように配設された一対の側板部材と、一対の側板部材の背面側となる端部間に橋架されるとともに前面側に電気機器が配設される背板部材と、一対の側板部材の前面側となる端部間を橋絡する支持部材と、一対の側板部材の前面側となる端部間に支持部材を介して開閉自在に取り付けられる蓋部材とからなる盤ブロックを複数組並設し、隣接する盤ブロックの側板部材に盤ブロック間を連通する電線挿通孔を穿設し、一対の側板部材の天井部材側及び床部材側の端部間にそれぞれ一対の側板部材と背板部材と支持部材の内周面に沿うようにして内部に電線挿通孔を有した枠部材を設け、この枠部材の電線挿通孔に対応する電線挿通孔を有して床部材に固定されるとともに並設された盤ブロックの両端まで伸びるベース部材に床部材側の各枠部材を固定し、天井部材側の隣接する枠部材間を該各枠部材の電線挿通孔縁の隣接した一面に係合する突片を有して天井部材に固定される連結部材を介して連結することを特徴とする分電盤。
【発明の詳細な説明】
【０００１】
【発明の属する技術分野】
本発明は、設置現場において各部材を組み立てることのできる分電盤に関するものである。
【０００２】
【従来の技術】
この種の分電盤としては、例えば特開平７−２３６２０９号公報に示されるものがある。この分電盤は、図８に示すように、建物の天井部材と床部材との間に対向するようにして配設された一対の側板部材１，１と、分電盤の背面側となる側板部材１，１の端部間に橋架されるとともに前面側に電気機器（図示せず）が配設される背板部材２と、分電盤の前面側となる側板部材１，１の端部間を橋絡する支持部材３１，３２，３３，３４と、側板部材１，１の前面側に支持部材３１，３２，３３，３４を介して開閉自在に取り付けられる蓋部材４１，４２，４３，４４とからなる盤ブロックＡを備えており、盤ブロックＡは、床用金具７１を用いて床部材に固定されるとともに、突っ張り部材７２，７３及び引っ張り部材７４，７５を用いて天井部材に固定される。
【０００３】
この分電盤は、側板部材１の溝部１ｅに嵌挿された固定部材７６に背板部材２をねじ止めするとともに、蓋部材４１，４２，４３，４４を開閉自在に支持した状態で、側板部材１の溝部１ｅに嵌挿された固定部材７６に支持部材３１，３２，３３，３４をねじ止めすることにより、組み立てられる。また、側板部材１の上下方向の両端部において、側板部材１の溝部１ｅ，１ｅに嵌挿された固定部材７６に内面側から略Ｌ字状の床用金具７１及び引っ張り部材７５がねじ止めにより取り付けられている。なお、床用金具７１は、床部材に埋め込まれたボルト７７にねじ固定されている。
【０００４】
上述のように、各部材をねじ止めすることにより、分電盤を容易に組み立てることができるので、分電盤を分解した状態で設置現場に搬入し、設置現場で分電盤を組み立てることができる。したがって、組み立てられた状態の箱状の重い分電盤を設置現場に搬入する必要がなく、設置現場への分電盤の搬入作業が容易になり、少人数でも分電盤を設置することができる。
【０００５】
【発明が解決しようとする課題】
上記構成の分電盤では、対向配置された一対の側板部材１，１間を背板部材２及び支持部材３１〜３４によって連結しているだけなので、一対の側板部材１，１間ががたつきやすく、分電盤の機械的強度が低いという問題があった。また、複数の盤ブロックＡを並設する場合、隣接する盤ブロックＡの側板部材１，１を正確に位置合わせしにくいという問題もあった。
【０００６】
本発明は上記問題点に鑑みて為されたものであり、その目的とするところは、機械的強度を高めるとともに、隣接する盤ブロックの位置合わせを容易に行える分電盤を提供することにある。
【０００７】
【課題を解決するための手段】
上記目的を達成するために、本発明では、天井部材と床部材との間に対向するように配設された一対の側板部材と、一対の側板部材の背面側となる端部間に橋架されるとともに前面側に電気機器が配設される背板部材と、一対の側板部材の前面側となる端部間を橋絡する支持部材と、一対の側板部材の前面側となる端部間に支持部材を介して開閉自在に取り付けられる蓋部材とからなる盤ブロックを複数組並設し、隣接する盤ブロックの側板部材に盤ブロック間を連通する電線挿通孔を穿設し、一対の側板部材の天井部材側及び床部材側の端部間にそれぞれ一対の側板部材と背板部材と支持部材の内周面に沿うようにして内部に電線挿通孔を有した枠部材を設け、この枠部材の電線挿通孔に対応する電線挿通孔を有して床部材に固定されるとともに並設された盤ブロックの両端まで伸びるベース部材に床部材側の各枠部材を固定し、天井部材側の隣接する枠部材間を該各枠部材の電線挿通孔縁の隣接した一面に係合する突片を有して天井部材に固定される連結部材を介して連結しており、一対の側板部材の天井部材側及び床部材側の端部間に、それぞれ、一対の側板部材と背板部材と支持部材の内周面に沿うようにして枠部材を設けているので、一対の側板部材間が枠部材により強固に結合され、側板部材間のがたつきをなくすことができる。しかも、並設された盤ブロックの床部材側の各枠部材はベース部材上に固定され、天井部材側の隣接する枠部材間を該各枠部材の電線挿通孔縁の隣接した一面に係合する突片を有して天井部材に固定される連結部材により連結されており、隣接する盤ブロックの位置合わせを正確、且つ、容易に行うことができるので、一対の側板部材に設けた電線挿通孔の位置が正確に一致し、隣接する盤ブロック間の配線を容易に行うことができる。
【０００８】
【発明の実施の形態】
本発明の実施の形態を図１乃至図７を参照して説明する。
【０００９】
この分電盤は、建物の天井部材５１と床部材５２との間に対向するように配置された一対の側板部材１，１と、分電盤の背面側となる側板部材１，１の端部間に橋架される背板部材２と、分電盤の前面側となる側板部材１，１の端部間を橋絡する支持部材３１，３２と、分電盤の前面側となる側板部材１，１の端部間に支持部材３１，３２を介して開閉自在に取り付けられる蓋部材４と、一対の側板部材１，１の天井部材５１側及び床部材５２側の端部間にそれぞれ一対の側板部材１，１と背板部材２と支持部材３１，３２の内周面に沿うようにして配設される枠部材５，６とからなる盤ブロックＡを２組備えており、２組の盤ブロックＡをベース部材たるチャンネルベース７上に並設して構成される。尚、本実施形態では、２組の盤ブロックＡを並設して分電盤を構成しているが、並設する盤ブロックＡの数を２組に限定する趣旨のものではなく、３組以上の盤ブロックＡを並設して分電盤を構成しても良い。
【００１０】
分電盤の前面側となる背板部材２の表面には、背板部材２の長手方向に沿って長尺状の枕板８，８が例えば溶接により固着されている。取付台９１  〜９４  は、略長方形状の取付板９ａの四隅から、ねじ挿通孔（図示せず）が穿設された略Ｌ字状の脚片９ｂを立設して形成されており、脚片９ｂのねじ挿通孔に挿通された取付ねじ６０を枕板８に螺入することにより、取付台９１  〜９４  が背板部材２の前面側に固定される。而して、電気機器としての主幹ブレーカ１０や複数の分岐ブレーカ１１が取付台９１  〜９４  を介して背板部材２の前面側に配設される。
【００１１】
側板部材１はアルミニウムなどの金属材料から形成され、一面に凸部１ａが突設されて、断面略凸字状の筒体に形成されている。また、天井部材５１側及び床部材５２側の側板部材１の両端部における凸部１ａの表面には、それぞれ、ねじ溝の設けられたねじ孔１ｂが３個づつ２列に形成されている。
【００１２】
背板部材２はアルミニウムなどの金属材料から形成され、略長方形状の底板２ａの４辺から側板２ｂが垂下されている。また、支持部材３１，３２はアルミニウムなどの金属材料から形成され、略長方形状の中央片３１ａ，３２ａの４辺からそれぞれ側板３１ｂ，３２ｂが垂下されている。同様に、蓋部材４はアルミニウムなどの金属材料から形成され、略長方形状の蓋板４ａの４辺から側板４ｂが垂下されている。
【００１３】
ここで、支持部材３１と対向する蓋部材４の側板４ｂの一端側には軸４ｃが突設されており、支持部材３２と対向する蓋部材４の側板４ｂの一端側には保持孔（図示せず）が穿設されている。また、蓋部材４と対向する支持部材３１の側板３１ｂには、蓋部材４に設けた軸４ｃが挿入される保持孔（図示せず）が穿設され、蓋部材４と対向する支持部材３２の側板３２ｂには、蓋部材４に設けた保持孔に挿入される軸３２ｃが突設されている。
【００１４】
枠部材５，６はアルミニウムなどの金属材料から形成され、略長方形状の中央片５ａ，６ａの略中央に略長方形状の電線挿通孔５ｂ，６ｂが形成され、側板部材１，１と対向する中央片５ａ，６ａの２辺から側板５ｃ，６ｃがそれぞれ垂下され、中央片５ａ，６ａの他の２辺から側板５ｄ，６ｄがそれぞれ垂下されている。側板部材１，１と対向する側板５ｃ，６ｃは、背板部材２又は支持部材３１，３２と対向する側板５ｄ，６ｄよりも高さが高くなっており、側板部材１，１のねじ孔１ｂに対応する側板５ｃ，６ｃの部位には、それぞれ６個の挿通孔５ｅが２列に穿設されている。また、枠部材５の中央片５ａの四隅にはねじ溝が形成されたねじ孔５ｆが形成され、枠部材６の中央片６ａの四隅には挿通孔６ｆが穿設されている。
【００１５】
また、２組の盤ブロックＡが固定されるチャンネルベース７はアルミニウムなどの金属材料から形成され、略長方形状の中央片７ａの４辺から側板７ｂが垂下されている。２組の盤ブロックＡ，Ａの枠部材６，６にそれぞれ設けられた電線挿通孔６ｂ，６ｂに対応する中央片７ａの部位には、電線挿通孔６ｂ，６ｂとそれぞれ連通する電線挿通孔７ｃ，７ｃが穿設され、枠部材６，６にそれぞれ設けられた各４個の挿通孔６ｆに対応する中央片７ａの部位にはねじ溝が形成されたねじ孔７ｄが４個づつ形成されている。
【００１６】
ところで、２組の盤ブロックＡ，Ａの枠部材５，５はそれぞれ固定部材１２，１３を用いて天井部材５１に固定されるのであるが、分電盤の両端に位置する枠部材５，５の部位を天井部材５１に固定するための固定部材１２は、ねじ部１２ａが突設された略長方形状の固定片１２ｂを有しており、固定部材１２はねじ部１２ａを介して天井部材５１に固定されている。また固定片１２ｂの一端縁には、枠部材５の電線挿通孔５ｂの周縁部と係合する突片１２ｃが突設され、枠部材５のねじ孔５ｆに対応する固定片１２ｂの部位には挿通孔１２ｄが穿設されている。一方、隣接する盤ブロックＡ，Ａの枠部材５，５を連結するとともに天井部材５１に固定するための連結部材としての固定部材１３は、ねじ部１３ａが突設された略長方形状の固定片１３ｂを有しており、固定部材１３はねじ部１３ａを介して天井部材５１に固定されている。また固定片１３ｂの両端縁には、枠部材５，５の電線挿通孔５ｂ，５ｂの周縁部とそれぞれ係合する突片１３ｃ，１３ｃが突設され、枠部材５のねじ孔５ｆに対応する固定片１３ｂの部位には挿通孔１３ｄが穿設されている。
【００１７】
この分電盤の組立方法について以下に説明する。
【００１８】
まず、対向配置された一対の側板部材１，１の一方の両端部間に中央片５ａ，６ａを外向きにして枠部材５，６を配置し、枠部材５，６の挿通孔５ｅ，６ｅに挿通された取付ねじ６１を、側板部材１，１に設けられたねじ孔１ｂに螺入し、枠部材５，６を介して側板部材１，１を固定する。
【００１９】
凸部１ａに対応する背板部材２の部位には複数のねじ挿通孔（図示せず）が形成されるとともに、このねじ挿通孔に対応する凸部１ａの側縁部にはねじ孔（図示せず）が形成されており、背板部材２のねじ挿通孔に挿通された取付ねじ６２を凸部１ａのねじ孔に螺入することにより、分電盤の背面側となる側板部材１，１の端部間に背板部材２が橋架され、背板部材２の前面側に枕板８，８を固定し、取付台９１  〜９４  を介して主幹ブレーカ１０及び分岐ブレーカ１１を背板部材２に配設する。
【００２０】
次に、蓋部材４の軸４ｃを支持部材３１の保持孔に挿入するとともに、支持部材３２の軸３２ｃを蓋部材４の保持孔に挿入して、支持部材３１，３２間に蓋部材４を開閉自在に支持した状態で、分電盤の前面側となる側板部材１，１の端部間に支持部材３１，３２が例えばねじ止めにより固定され、盤ブロックＡが組み立てられる。
【００２１】
２組の盤ブロックＡ，Ａは、枠部材６，６をチャンネルベース７側にして、床部材５２に固定されたチャンネルベース７上に配設され、枠部材６の挿通孔６ｆに挿通された六角ボルト６３をチャンネルベース７のねじ孔７ｄに螺入することにより、各盤ブロッックＡ，Ａがチャンネルベース７を介して床部材５２に固定される。この時、枠部材６の電線挿通孔６ｂとチャンネルベース７の電線挿通孔７ｃとが連通するので、電線挿通孔６ｂ，７ｃを介して外部から盤ブロックＡの内部に電線を容易に引き入れることができる。
【００２２】
一方、固定部材１２の突片１２ｃを、分電盤の両端に位置する枠部材５の電線挿通孔５ｂの内周縁と係合させた状態で、固定部材１２の挿通孔１２ｄに挿通された六角ボルト６４を枠部材５のねじ孔５ｆに螺入するとともに、固定部材１３の突片１３ｃ，１３ｃを、それぞれ、分電盤の中央側に位置する枠部材５，５の電線挿通孔５ｂ，５ｂの内周縁と係合させた状態で、固定部材１３の挿通孔１３ｄに挿通された六角ボルト６４を各枠部材５のねじ孔５ｆにそれぞれ螺入することにより、各盤ブロックＡ，Ａが固定部材１２，１３を介して天井部材５１に固定され、分電盤が天井部材５１と床部材５２との間に固定される。
【００２３】
上述のように、枠部材５，６は一対の側板部材１，１と背板部材２と支持部材３１，３２の内周面に沿うようにして設けられており、一対の側板部材１，１間が枠部材５，６により強固に結合されるので、側板部材１，１間のがたつきをなくすことができ、盤ブロックＡの機械的強度を高めることができる。また、各盤ブロックＡ，Ａの天井部材５１側の枠部材５，５は、固定部材１２，１３を介して天井部材５１に固定されており、固定部材１３が隣接する枠部材５，５を連結しているので、隣接する枠部材５，５、すなわち、盤ブロックＡ，Ａの位置合わせを正確、且つ、容易に行うことができる。しかも、各盤ブロックＡ，Ａの床部材５２側の枠部材６，６はチャンネルベース７を介して床部材５２に固定されているので、チャンネルベース７により隣接する枠部材６，６、すなわち、盤ブロックＡ，Ａの位置合わせを正確、且つ、容易に行うことができる。
【００２４】
また、隣接する２組の盤ブロックＡ，Ａの側板部材１，１には、盤ブロックＡ，Ａ間に電線７０を挿通するための電線挿通孔１ｃ，１ｃがそれぞれ穿設されており、この電線挿通孔１ｃ，１ｃを介して盤ブロックＡ，Ａ間の配線を行うことができる。上述のように隣接する盤ブロックＡ，Ａは、固定部材１２及びチャンネルベース７を用いて、正確、且つ、容易に位置決めされるので、盤ブロックＡ，Ａを位置決めした状態で、隣接する側板部材１，１に設けた電線挿通孔１ｃ，１ｃの位置が正確に一致し、盤ブロックＡ，Ａ間の配線作業を容易に行うことができる。
【００２５】
【発明の効果】
上述のように、本発明は、天井部材と床部材との間に対向するように配設された一対の側板部材と、一対の側板部材の背面側となる端部間に橋架されるとともに前面側に電気機器が配設される背板部材と、一対の側板部材の前面側となる端部間を橋絡する支持部材と、一対の側板部材の前面側となる端部間に支持部材を介して開閉自在に取り付けられる蓋部材とからなる盤ブロックを複数組並設し、隣接する盤ブロックの側板部材に盤ブロック間を連通する電線挿通孔を穿設し、一対の側板部材の天井部材側及び床部材側の端部間にそれぞれ一対の側板部材と背板部材と支持部材の内周面に沿うようにして内部に電線挿通孔を有した枠部材を設け、この枠部材の電線挿通孔に対応する電線挿通孔を有して床部材に固定されるとともに並設された盤ブロックの両端まで伸びるベース部材に床部材側の各枠部材を固定し、天井部材側の隣接する枠部材間を該各枠部材の電線挿通孔縁の隣接した一面に係合する突片を有して天井部材に固定される連結部材を介して連結しており、一対の側板部材の天井部材側及び床部材側の端部間に、それぞれ、一対の側板部材と背板部材と支持部材の内周面に沿うようにして枠部材を設けているので、一対の側板部材間が枠部材により強固に結合され、側板部材間のがたつきをなくすことができ、盤ブロックの機械的強度が高まるという効果がある。しかも、並設された盤ブロックの床部材側の各枠部材はベース部材上に固定され、天井部材側の隣接する枠部材間を該各枠部材の電線挿通孔縁の隣接した一面に係合する突片を有して天井部材に固定される連結部材により連結されており、隣接する盤ブロックの位置合わせを正確、且つ、容易に行うことができるので、一対の側板部材に設けた電線挿通孔の位置が正確に一致し、隣接する盤ブロック間の配線を容易に行うことができるという効果がある。
【図面の簡単な説明】
【図１】本実施形態の分電盤を示す分解斜視図である。
【図２】同上の要部斜視図である。
【図３】同上の要部分解斜視図である。
【図４】同上の要部分解斜視図である。
【図５】同上の正面から見た要部断面図である。
【図６】同上の上方から見た要部断面図である。
【図７】同上の設置状態を示す説明図である。
【図８】従来の分電盤を示す分解斜視図である。
【符号の説明】
１  側板部材
２  背板部材
３１，３２  支持部材
４  蓋部材
５，６  枠部材
７  チャンネルベース
１３  固定部材
【図１】
0003587432.tif 000002
【図２】
0003587432.tif 000003
【図３】
0003587432.tif 000004
【図４】
0003587432.tif 000005
【図５】
0003587432.tif 000006
【図６】
0003587432.tif 000007
【図７】
0003587432.tif 000008
【図８】
0003587432.tif 000009